(57)【要約】【課題】帰還した自走式電子機器に対して、静電気の除電とほこりの除去が可能な充電台を提供することを課題とする。【解決手段】自走式電子機器に搭載された充電池に電力を供給する電力供給部と、前記自走式電子機器の少なくとも一部を収納する格納庫と、外部の空気を導入する吸気口と、イオンを発生させるイオン発生部と、前記吸気口から導入された空気を、前記発生されたイオンとともに前記格納庫へ放出する第１送風口と、を備え、前記自走式電子機器が前記格納庫に帰還したことを検知した場合に、前記イオンを含む空気を、前記第１送風口から放出することを特徴とする充電台。【選択図】図５
2013233222.tif 000002
【特許請求の範囲】
【請求項１】
自走式電子機器に搭載された充電池に電力を供給する電力供給部と、
前記自走式電子機器の少なくとも一部を収納する格納庫と、
外部の空気を導入する吸気口と、
イオンを発生させるイオン発生部と、
前記吸気口から導入された空気を、前記発生されたイオンとともに前記格納庫へ放出する第１送風口と、を備え、
前記自走式電子機器が前記格納庫に帰還したことを検知した場合に、前記イオンを含む空気を、前記第１送風口から放出することを特徴とする充電台。
【請求項２】
前記イオンを含む空気を外部へ放出する第２送風口と、
前記イオンを含む空気の流れの方向を切り換える切替部材と、をさらに備え、
前記自走式電子機器が前記格納庫に収納されている場合は、前記イオンを含む空気の流れの方向が前記清掃口へ向かう方向となるように、前記切替部材を切り換え、所定の時間が経過した後、前記イオンを含む空気の流れの方向が前記第２送風口へ向かう方向となるように、前記切替部材を切り換えることを特徴とする請求項１に記載の充電台。
【請求項３】
前記電力供給部が前記充電池に電力を供給し得る状態になったことをもって、前記自走式電子機器が前記格納庫に帰還したことを検知することを特徴とする請求項１又は２に記載の充電台。
【請求項４】
前記自走式電子機器までの距離を測定する距離測定部をさらに備え、
前記距離測定部が測定した前記自走式電子機器までの距離が、所定距離以下となったことをもって、前記自走式電子機器が前記格納庫に帰還したことを検知することを特徴とする請求項１ないし３のいずれかに記載の充電台。
【請求項５】
前記格納庫の出入口に設けられ、格納庫への空気の流れを阻止するシャッターをさらに備え、
前記自走式電子機器の全てが前記格納庫に収納された場合に、前記シャッターを閉鎖することを特徴とする請求項１ないし４のいずれかに記載の充電台。
【請求項６】
前記自走式電子機器が、ゴミを収集する集塵部を有する自走式掃除機であることを特徴とする請求項１ないし５のいずれかに記載の充電台。
【請求項７】
前記自走式掃除機が前記格納庫に帰還したと判断された場合、イオンを含む空気を、前記清掃口から送出させて、前記自走式掃除機に蓄積された静電気の除電および付着したほこりの除去を行うことを特徴とする請求項６に記載の充電台。
【請求項８】
前記静電気の除電およびほこりの除去を所定の時間だけ行った後、前記自走式掃除機が除去されたほこりを前記集塵部によって収集することを特徴とする請求項７に記載の充電台。
【請求項９】
前記自走式掃除機が前記格納庫から出庫する前に前記集塵部によるほこりの収集を開始し、その後、自走式掃除機が前記格納庫の外部へ移動を開始することを特徴とする請求項８に記載の充電台。
【発明の詳細な説明】
【技術分野】
【０００１】
この発明は、充電台に関し、特に、自走式電子機器の充電を行う充電台に関する。
【背景技術】
【０００２】
今日、駆動輪を駆動して、所定の領域を自動的に移動することにより、部屋の掃除を行い、掃除が終了すると、所定の位置に設置された充電台のところまで自動的に帰還する自走式掃除機が利用されている。
自走式掃除機は、本体下部であって清掃する床面と対向する位置に吸気口を設け、自動走行しながら、床面と接触する回転ブラシによって床面にあるゴミを吸気口の方へ導いて、そのゴミを吸気口から吸い込み、内部の集塵容器の中へ収集する。
【０００３】
該自走式掃除機は、自動走行しながら掃除をしている状態において、床面と、回転ブラシおよび駆動輪とが接触しているため、それらの間の摩擦により静電気が発生し、掃除機本体の外装等が帯電する。
このように本体が帯電すると、本体周辺のほこりがその帯電した外装表面に引きつけられるため、十分な集塵機能が発揮されない場合があった。
そこで、自走式電気掃除機の本体表面に発生した静電気を除電する機能を有する自走式電気掃除機が提案されている（特許文献１参照）。
【０００４】
特許文献１では、本体の底部の排気口の近傍に、イオン発生器を設け、イオン発生器から発生されたイオンによって本体の底部と被清掃面を除電することと、静電気の逃がし端子を設けて、本体の充電池を充電する充電器とこの逃がし端子とを接続して、本体に貯まった静電気を逃がし端子を通して充電器に逃がすことが記載されている（段落００２２，００４６等参照）。
【０００５】
また、従来からイオン発生器を備えた電子機器が利用されているが、そのイオン発生器から発生するイオンは、室内の空気の浄化を行うことを目的として、室内空間に対して放出される（特許文献２参照）。
【先行技術文献】
【特許文献】
【０００６】
【特許文献１】特開２００４−５７４４９号公報
【特許文献２】特開２００５−４６６１６号公報
【発明の概要】
【発明が解決しようとする課題】
【０００７】
しかし、特許文献１では、イオン発生器は本体の底部に設けられ下方に向かってイオンを発生するので、イオンによる除電の効果は、本体の底部と被清掃面という局所的な部分に限定される。また、底部に設けられたイオン発生器では、掃除をする部屋の空間に対して、移動している場合に、イオンによる空気の浄化、殺菌あるいは消毒という機能を発揮することは困難である。
【０００８】
さらに、逃がし端子を通じて静電気を逃がすことのできる帯電部分は、逃がし端子に電気的に接続された本体表面の一部分に限られ、絶縁されたプラスチック等の表面に蓄積された静電気を除くことは難しい。
【０００９】
そこで、この発明は、以上のような事情を考慮してなされたものであり、自走式電子機器に蓄積した静電気の除電及び付着したほこりの除去をすることのできる充電台等を提供することを課題とする。
【課題を解決するための手段】
【００１０】
この発明は、自走式電子機器に搭載された充電池に電力を供給する電力供給部と、前記自走式電子機器の少なくとも一部を収納する格納庫と、外部の空気を導入する吸気口と、イオンを発生させるイオン発生部と、前記吸気口から導入された空気を、前記発生されたイオンとともに前記格納庫へ放出する第１送風口と、を備え、前記自走式電子機器が前記格納庫に帰還したことを検知した場合に、前記イオンを含む空気を、前記第１送風口から放出することを特徴とする充電台を提供するものである。
【００１１】
これによれば、充電台の格納庫に、自走式電子機器が帰還したことを検知した場合に、イオンを含む空気を第１送風口から放出するので、格納庫内の自走式電子機器の筐体にイオンを含む空気が接触することにより、自走式電子機器が充電台へ帰還するごとに、移動中に筐体表面に蓄積された静電気を除電し、筐体表面に付着したほこりを除去することができる。
【００１２】
また、前記イオンを含む空気を外部へ放出する第２送風口と、前記イオンを含む空気の流れの方向を切り換える切替部材と、をさらに備え、前記自走式電子機器が前記格納庫に収納されている場合は、前記イオンを含む空気の流れの方向が前記第１送風口へ向かう方向となるように、前記切替部材を切り換え、所定の時間が経過した後、前記イオンを含む空気の流れの方向が前記第２送風口へ向かう方向となるように、前記切替部材を切り換えることを特徴とする。
【００１３】
これによれば、切替部材を備えて、イオンを含む空気の流れの方向を第１送風口または第２送風口のどちらか一方へ切り替えているので、第１送風口から放出されるイオンを含む空気によって自走式電子機器に蓄積された静電気の除電及び付着したほこりの除去を行うことができることに加えて、第２送風口から放出されるイオンを含む空気によって充電台の周辺の空気の除菌と消臭をすることができる。
【００１４】
また、前記第１送風口は、前記格納庫の空間を形成する壁面のうち、１つの側面および上面の少なくともいずれか一方に設けられ、前記第２送風口は、イオンを含む空気が、外部の上方空間に向かって放出しうる任意の位置に設けられることを特徴とする。
【００１５】
これによれば、格納庫の空間を形成する壁面に第１送風口を設けているので、第１送風口から格納庫の内部にイオンを含む空気を放出することにより、格納庫に収納された自走式電子機器の静電気の除電およびほこりの除去ができる。
また、第２送風口から充電台の外部の上方空間に向かって、イオンを含む空気を放出することにより、より適確に充電台の周辺の空気の除菌と消臭ができる。
【００１６】
また、前記電力供給部が前記充電池に電力を供給し得る状態になったことをもって、前記自走式電子機器が前記格納庫に帰還したことを検知することを特徴とする。
【００１７】
これによれば、電力供給部が充電池に電力を供給し得る状態になった場合、たとえば、充電台の接続部と、自走式電子機器の接続端子とが電気的に接続された場合に、自走式電子機器が格納庫に帰還したと判断されるので、充電状態において、充電池の充電とともに、確実に静電気の除電とほこりの除去とを行い、自走式電子機器の次回の出庫に備えることができる。
ここで、自走式電子機器の接続端子は、後述する図２の自走式電子機器の充電台接続部９３に相当する。また、充電台に備えられる接続部は、後述する図１に示した掃除機接続部１０３に相当する。
【００１８】
また、前記自走式電子機器までの距離を測定する距離測定部をさらに備え、前記距離測定部が測定した前記自走式電子機器までの距離が、所定距離以下となったことをもって、前記自走式電子機器が前記格納庫に帰還したことを検知することを特徴とする。
【００１９】
これによれば、距離測定部が測定した自走式電子機器までの距離が、所定距離以下となった場合に、自走式電子機器が格納庫に帰還したと検知するので、自走式電子機器の接続端子と、充電台の接続部とが電気的に接続される前に、イオンを含む空気を、第１送風口から自走式電子機器の方向へ放出することができ、露出した状態の自走式電子機器の接続端子にイオンを含む空気が当たり、その接続端子に付着したほこりを除去することができ、付着したほこりに起因する接触不良や短路を防止できる。
【００２０】
また、前記格納庫の出入口に設けられ、格納庫への空気の流れを阻止するシャッターをさらに備え、前記自走式電子機器の全てが前記格納庫に収納された場合に、前記シャッターを閉鎖することを特徴とする。
【００２１】
これによれば、シャッターを設けているので、シャッターを閉鎖することにより、格納庫の中にほこりやゴミが入るのを防止でき、さらに、シャッターを閉鎖した後、イオンを含む空気を自走式電子機器に対して放出するようにすれば、閉空間となった格納庫内にイオンを含む空気を循環させることができ、静電気の除電とほこりの除去とを、自走式電子機器全体に対して、より確実に行うことができる。
【００２２】
また、前記自走式電子機器が、ゴミを収集する集塵部を有する自走式掃除機であることを特徴とする。
ここで、前記自走式掃除機が格納庫に帰還したと判断された場合、イオンを含む空気を、前記第１送風口から送出させて、前記自走式掃除機に蓄積された静電気の除電および付着したほこりの除去を行うことを特徴とする。
【００２３】
これによれば、自動走行しながらゴミの収集を行っていたときに、自走式掃除機の筐体表面に蓄積された静電気の除電と付着したほこりの除去を、格納庫に帰還した場合に確実に行うことができ、次回の出庫に備えることができる。
【００２４】
さらに、前記静電気の除電およびほこりの除去を所定の時間だけ行った後、前記自走式掃除機が除去されたほこりを前記集塵部によって収集することを特徴とする。
これによれば、静電気の除電とほこりの除去を行った後に、除去したほこりを収集するので、その除去処理によって床面に落下したほこりが、次回の出庫時にまき散らかされることを防止できる。
【００２５】
また、前記自走式掃除機が前記格納庫から出庫する前に前記集塵部によるほこりの収集を開始し、その後、自走式掃除機が前記格納庫の外部へ移動を開始することを特徴とする。
これによれば、ほこりの収集処理を開始した後に、格納庫の外部へ移動するので、格納庫の出入口付近に落下していたほこりを収集した後に出庫することにより、イオンを含む空気によって除去したほこりが外部へまき散らかされることを防止できる。
【発明の効果】
【００２６】
この発明によれば、自走式電子機器に蓄積した静電気の除電及び付着したほこりの除去をすることのできる充電台等を提供することができる。
【図面の簡単な説明】
【００２７】
【図１】この発明の充電台の一実施例の概略構成ブロック図である。
【図２】この発明の自走式掃除機の一実施例の概略構成ブロック図である。
【図３】この発明の充電台の各構成要素の一実施例の配置説明図である。
【図４】この発明の充電台において、空気清浄処理を行う場合の一実施例の説明図である。
【図５】この発明の充電台において、帰還時の除電処理を行う場合の一実施例の説明図である。
【図６】この発明の自走式掃除機の一実施例の概略斜視図である。
【図７】この発明の充電台に設けられるイオン発生部の概略構成を示す斜視図である。
【図８】この発明の充電台の空気清浄処理および除電処理の一実施例のフローチャートである。
【図９】この発明の充電台において、空気清浄処理を行う場合の一実施例の説明図である。
【図１０】この発明の充電台において、帰還時の除電処理を行う場合の一実施例の説明図である。
【図１１】この発明の充電台において、帰還時の除電処理を行う場合の一実施例の説明図である。
【図１２】この発明の充電台の他の実施形態を示す斜視図である。
【図１３】この発明の他の充電台の内部構造を示す断面図である。
【発明を実施するための形態】
【００２８】
以下、図面を使用して本発明の実施の形態を説明する。なお、以下の実施例の記載によって、この発明が限定されるものではない。
【００２９】
この発明において、自走式電子機器とは、自動走行制御機能を有する電子機器であり、たとえば、自走式掃除機、自走式イオン発生機、送風機を備え吸気した空気をフィルタ等を介して浄化する空気清浄機および吸気した空気を加湿する加湿器などが含まれる。
この発明の自走式掃除機とは、底面に吸気口を有すると共に内部に集塵部を有する筐体、筐体を走行させる駆動輪、駆動輪の回転、停止および回転方向等を制御する制御部などを備え、ユーザの手を離れて自動的に掃除動作する掃除機を意味する。
【００３０】
また、自走式掃除機としては、空気吸引を行い清浄化した空気を排気する空気清浄機能、イオン発生を行うイオン発生機能、ユーザに対して必要な情報等を提示する機能等を有してもよい。さらに、装置本体に充電池を備え、充電を必要とする際に、自走して充電台へ帰還することができる機能も有する。
この発明において、自走式とは、主として、利用者の指示入力により、指示された位置や目的とする位置へ、自動的に移動することを意味する。
【００３１】
また、自走式イオン発生機とは、発生したイオンを排気空気と共に放出するイオン発生機であって、イオン発生機の筐体の周囲の障害物を検知しながら、筐体を自動走行させる走行制御部等を備え、ユーザの操作によることなく走行および停止、並びに、走行方向を自ら判断して筐体を自動的に走行させる方式のイオン発生機を意味する。
【００３２】
この発明の充電台は、自走式掃除機や自走式イオン発生機などに搭載された充電池に電力を供給するものである。
以下の実施例では、自走式電子機器の一つの例として、特に、静電気が発生しやすい自走式掃除機について説明する。なお、特許請求の範囲において、第１送風口は、清掃口のことを示し、第２送風口は、送風口のことを示している。
【００３３】
＜充電台の構成＞
図１に、この発明の充電台の一実施例の概略構成ブロック図を示す。
図１において、充電台１００は、主として、制御部１０１、帰還判断部１０２、掃除機接続部１０３、送信部１０４、電力供給部１０５、送風切替部１１１、切替板１１２、イオン発生部１１３、送風制御部１１４、送風ファン１１５、送風口（第２送風口）１１６、清掃口（第1送風口）１１７、吸気口１１８、出入口制御部１２１、シャッター１２２、記憶部１３１とを備える。充電台１００は、室内の壁などに配置された商用電源１５０のコンセントからのＡＣ電源電力の供給を受ける。また、充電台１００は、図３に示すように、自走式掃除機を収納する空間を有する格納庫１３０を備える。
【００３４】
電力供給部１０５は、自走式電子機器である自走式掃除機１に電力を供給する部分であり、商用電源１５０からの交流電力を受け入れ、自走式掃除機１を充電することのできる直流電力に変換し、掃除機接続部１０３に与える。
【００３５】
掃除機接続部１０３は、自走式掃除機１の充電台接続部９３と電気的に接続され、自走式掃除機１の充電池１２に充電電流を与える部分であり、充電台の格納庫１３０の中の側面（自走式掃除機１が帰還する際に対向する前面）に設けられた露出した一対の接続端子である。
【００３６】
送信部１０４は、無線による信号を送信（発信）する部分である。送信部１０４としては、方向を認識するためにも指向性を持たせたものが用いられ、たとえば、可視光発光素子、赤外線発光素子、レーザ発光素子などが用いられる。無線信号としては、適切な指向性が得られる等の観点から、赤外線を利用することが好ましい。この無線信号を走行中の自走式掃除機１が受信することにより、充電台１００の位置を検出する。
たとえば、送信する無線信号として赤外線を用いる場合、ある程度の範囲に広がって進行するという指向性を持たせ、自走式掃除機１がその範囲内に入った場合は、自走式掃除機の受信部９２によって、赤外線を検出することができる。
【００３７】
また、自走式掃除機１が上記範囲内に存在していても、自走式掃除機１の受信部９２が、充電台１００と反対方向を向いている場合は、例えば赤外線を受光できない。しかし、自走式掃除機１が静止位置で１回転することにより、赤外線を受光できるようになり、赤外線を受光した方向、すなわち、充電台１００の存在する方向がわかる。
【００３８】
帰還判断部１０２は、自走式掃除機１が、充電台１００の格納庫１３０に帰還したか否かを判断する部分である。自走式掃除機１が充電台１００へ帰還したことは、充電台の格納庫１３０の空間に自走式掃除機１が収納され、充電台の掃除機接続部１０３と、自走式掃除機１の充電台接続部９３とが電気的に接続した状態となることを意味する。
【００３９】
両接続部（９３，１０３）が接続された状態において、電力供給部１０５からの供給電力により、充電池１２の充電が行われる。
自走式掃除機１が格納庫１３０に帰還したか否かの判断は、例えば、両接続部（９３，１０３）が電気的に接続されていることを確認することにより行えばよい。具体的には、これら接続部（９３，１０３）を介して充電電流が自走式掃除機１の方へ流れたことを検出した場合に、自走式掃除機１が充電台１００の格納庫１３０に帰還したと判断する。
また、掃除機接続部１０３に接続されたスイッチを設け、自走式掃除機１の充電台接続部９３が掃除機接続部１０３に接触し、掃除機接続部１０３のスイッチが押された場合に、自走式掃除機１が、充電台に帰還したと判断してもよい。
【００４０】
また、充電台１００に自走式掃除機１が帰還するのを判断する他の例を説明する。つまり、上述した帰還判断部１０２の他の実施態様を説明する。この充電台１００に、図示しない距離測定部を備え、自走式掃除機１が充電台の近くまで戻ってきた場合に、充電台１００から自走式掃除機１までの距離を測定する。距離測定部としては、たとえば、超音波センサを用いればよい。また、従来より周知の測距センサ等を用いることができる。なお、自走式掃除機１の充電台接続部９３は進行方向と反対側の後部に設けられている。そのため、自走式掃除機１が充電台１００の近くまでくれば、充電台１００の掃除機接続部１０３との接続を行うため、半回転し、後部から充電台１００へと進行する。
【００４１】
そこで、自走式掃除機１が半回転した後、測定した距離が、たとえば、５０ｃｍ以下となった場合に、帰還判断部１０２は、自走式掃除機１が充電台１００あるいは格納庫１３０に帰還したと判断することができる。上記距離（５０ｃｍ）は一例であり、任意に設定すればよい。この距離（５０ｃｍ）は、自走式掃除機１が充電のために半回転する距離以下に設定することが好ましい。
この場合、自走式掃除機と充電台の接続部（９３，１０３）どうしが電気的に接続される前に、帰還したことが判断（検出）されるので、後述するように、清掃口（第１送風口）１１７から自走式掃除機１の充電台接続部９３に向かってイオンを含む空気を放出することにより、充電台接続部９３の露出した接続端子に付着したほこりを除去することができる。
【００４２】
充電台１００の制御部１０１は、充電台１００の各種機能を実現する部分であり、主として、発光処理と、充電電力の供給制御を行う。制御部１０１は、ＣＰＵ、ＲＯＭ、ＲＡＭ、Ｉ／Ｏコントローラ、タイマー等からなるマイクロコンピュータにより実現できる。
【００４３】
切替板１１２は、送風ファン１１５によって発生した空気の流れの方向を変化させる部材であり、充電台の内部の流通経路を通過したイオンを含む空気の送風方向を、送風口（第２送風口）１１６のある方向か、あるいは清掃口（第１送風口）１１７のある方向のどちらか一方へ、切り替えるものである。切替板１１２としては、回転する長方形状の部材、スライドするシャッターなどの部材が用いられる。以下の説明において、切替板１１２は、送風口（第２送風口）１１６または清掃口（第１送風口）１１７のいずれかよりイオンを含む空気を放出させるように切り替え制御されているが、送風口（第２送風口）１１６、清掃口（第１送風口）１１７に同時に放出できるように切り替え制御することもできる。この場合、例えば、切替板１１２をステッピングモータで任意の位置に回転させて止められるようにすることで実現できる。これにより、自走式掃除機１が帰還してから少しでも早く充電台の周辺の空気の除菌と消臭をすることができる。
【００４４】
送風切替部１１１は、制御部１０１からの指示により、切替板１１２の位置を制御するものである。たとえば、自走式掃除機１が自動走行をしていて不在の場合、すなわち掃除中の場合は、イオンを含む空気が送風口（第２送風口）１１６から放出され、室内の除菌や消臭を効率よく行えるようにするために、送風切替部１１１によって、送風口（第２送風口）１１６を開放し、清掃口（第１送風口）１１７を閉鎖するように、切替板１１２の位置を切り替える。
【００４５】
また、自走式掃除機１が格納庫に収納されている場合は、イオンを含む空気の流れが、清掃口（第１送風口）１１７へ向かう方向となるように、切替板１１２を切り替える。
すなわち、自走式掃除機１が充電台１００へ帰還した場合は、送風切替部１１１によって、送風口（第２送風口）１１６を閉鎖し清掃口（第１送風口）１１７を開放するように、切替板１１２の位置を切り替え、イオンを含む空気を充電台１００の清掃口（第１送風口）１１７から放出して、清掃口（第１送風口）１１７から筐体２の方向へ流れてきたイオンを含む空気によって、外装となる筐体の除電が行える。
切替板１１２を送風口（第２送風口）１１６か清掃口（第１送風口）１１７のどちらに切り替えているかの情報を、切替情報１３２として記憶部１３１に記憶してもよい。
【００４６】
イオン発生部１１３は、イオンを発生する部分であり、充電台の内部に収容され、吸気口１１８から導入された外部の空気の流通経路に配置される。
具体的には、空気中で放電することにより、正イオンとしてＨ+(Ｈ2Ｏ)m（ｍは任意の自然数）、負イオンとしてＯ2-(Ｈ2Ｏ)n（ｎは任意の自然数）を生成する。
【００４７】
図７に、イオン発生部１１３の一実施例の斜視図を示す。
イオン発生部１１３は排気経路に臨む複数のイオン放出部３１ａ、３１ｂを有している。このイオン放出部３１ａ、３１ｂは、イオン発生部１１３の樹脂性の筺体の一部を、例えば円形状に開口した開口部からなり、その開口部に対応して以下のイオン発生のための電極が設けられている。
つまり、各々のイオン放出部３１ａ、３１ｂには、共通の対向電極３３と針状の放電電極３４ａ、３４ｂが各々設けられる。放電電極３４ａ、３４ｂは先端が尖った針電極であり、対向電極３３は放電電極３４ａ、３４ｂの周囲を囲うように開口された共通の接地された電極である。
【００４８】
イオン発生部１１３は、本体部分３５に高圧電気発生回路が内蔵されており、一側面に設けられた２つの端子３６を介して電力が供給され、作動する。
本体部分３５の高圧電気発生回路は、放電電極３４ａ、３４ｂに、交流波形またはインパルス波形から成る正または負の高電圧を供給する。前述のようにイオン発生部１１３は複数の放電電極を持ち、例えば放電電極３４ａには、正のインパルス波形の高電圧が印加される。これにより、電離により発生するイオンが空気中の水分と結合して主として先に説明したＨ+（Ｈ2Ｏ）ｍから成る正のクラスタイオンが生成される。
他の放電電極３４ｂには、負のインパルス波形の高電圧が印加され、電離により発生するイオンが空気中の水分と結合して主としてＯ2-（Ｈ2Ｏ）ｎから成る負のクラスタイオンが生成される。
【００４９】
発生するイオンとしては、特に限定されないが、たとえば、空気を浄化することの可能なイオン、美肌効果と肌表面の菌増殖を抑制する効果のあるイオンなどがあげられ、特に、従来から用いられているプラズマクラスターイオン（登録商標）を用いることができる。イオン発生部１１３は、たとえば、小型の直方体形状のイオン発生装置として提供される。
前述のように、正イオン及び負イオンの両方が発生する場合には、蓄積された静電気の除電効果並びに空気の浄化、殺菌および消臭効果が得られる。  なお、本発明のイオン発生部１１３は、正イオン又は負イオンのいずれかを発生してもよい。その場合にも、限定的ではあるが、蓄積された静電気の除電効果並びに空気の浄化、殺菌および消臭効果が得られる。特に、負イオンを発生する場合には、リラックス効果が得られる。
【００５０】
上記送風ファン１１５は、充電台の内部の流通経路に、空気の流れ（風）を発生させるものであり、送風制御部１１４は、制御部１０１からの指示に基づいて、送風ファン１１５を回転させるものである。
送風ファン１１５が回転させられると、外部の空気が、吸気口１１８を介して、内部の流通経路に導入される。吸気口１１８から導入された空気は、イオンが発生された流通経路に送られ、イオン発生部１１３の近傍の空間を通過して、送風口（第２送風口）１１６あるいは清掃口（第１送風口）１１７のいずれかから外部へ排気される。
【００５１】
送風口（第２送風口）１１６は、イオンが発生された流通経路に連通しイオンを含む空気を外部へ放出しうる開口である。特に、充電台１００は壁際に設置される。そのため、送風口（第２送風口）１１６は、壁に沿って送風できるように充電台１００の上部に設けるとよい。送風ファン１１５により放出される空気に含まれるイオンは、壁面を上昇し部屋全体に拡散される。また、清掃口（第１送風口）１１７は、発生されたイオンを含む空気を格納庫１３０に収納される自走式掃除機１の方向へ放出しうる開口である。つまり、清掃口（第１送風口）１１７は、自走式掃除機１が帰還することで充電を行うための掃除機接続部１０３が設けられている側面に設けられる。また、吸気口１１８は、外部の空気を、送風口（第２送風口）１１６及び清掃口（第１送風口）１１７に通じる所定の流通経路に導入する開口である。この吸気口１１８は、上記送風口（第２送風口）１１６、また清掃口（第１送風口）１１７より放出される空気が即座に吸気されるショートサーキットが生じない位置に設けるとよい。これにより、放出された空気に含まれるイオンが吸気され、発生イオンによる除電、またイオンの拡散が妨げされるためでもある。
【００５２】
なお、上述した送風口（第２送風口）１１６、清掃口（第１送風口）１１７、吸気口１１８には、異物等が混入しないように、例えば格子形状に形成された図示しないグリル等が設けられている。また、吸気口１１８には、部屋の空気を吸引するため、空気中のゴミ（特に塵埃）を除去、捕獲するためにもフィルタ等を設けるとよい。
【００５３】
シャッター１２２は、自走式掃除機１を収納する格納庫となる空間の入口を閉鎖および開放する扉であり、格納庫への空気の流れを阻止するものである。なお、格納庫を密閉できるものではなく、一部の空気は漏洩する。出入口制御部１２１は、シャッター１２２の開閉を制御する部分である。
自走式掃除機１が格納庫の中に存在する場合は、シャッター１２２が閉鎖され、自走式掃除機１が部屋の掃除を開始する場合に、シャッター１２２が開放される。
【００５４】
また、部屋の掃除中は、シャッター１２２を開放したままにしておけばよい。ただし、格納庫内にほこりが入るのを防止するために、掃除中もシャッター１２２を閉鎖しておき、自走式掃除機１が戻ってきたとき、シャッター１２２を開放するようにしてもよい。
その後、自走式掃除機１が格納庫１３０に収納された場合は、シャッター１２２を閉鎖してから、イオンを含む空気を清掃口（第１送風口）１１７から自走式掃除機１に対して放出することにより、除電処理を行う。
上記シャッター１２２は、格納庫を密閉するものでないため、強制的に開閉駆動する構成として説明したが、上部を軸支し、自重で揺動可能に設けてもより。この構成によれば、自走式掃除機１の入庫時、自走式掃除機１に押されてシャッターが回動し、自走式掃除機の反対端部がシャッターを通過すると自重で閉鎖するように作用する。出庫時にはその逆に作用する。
【００５５】
充電台の記憶部１３１は、充電台１００の各種機能を実現するために必要な情報や、プログラムを記憶する部分であり、ＲＡＭやＲＯＭ等の半導体素子、ハードディスク、フラッシュメモリ等の記憶媒体が用いられる。
記憶部１３１には、主として、切替情報１３２，除電タイマー初期値１３３などが記憶される。
【００５６】
切替情報１３２は、切替板１１２の現在の位置を示す情報であり、送風口（第２送風口）１１６の側か、あるいは清掃口（第１送風口）１１７の側のどちらに、イオンを含む空気を送るかを示す情報である。
送風切替部１１１は、この切替情報１３２に基づいて、切替板１１２の位置を切り替える。
除電タイマー初期値１３３は、除電処理を行う時間を示す情報であり、予め除電に必要な値が設定されている。除電タイマーが起動されると、この初期値１３３に示された時間をカウントし、その時間だけ、清掃口（第１送風口）１１７を開放して、イオンを含む空気が格納庫に放出される。この初期値１３３としては、経験的に適切と考えられる数値が予め設定されるが、これに限るものではなく、利用者がその初期値を設定変更できるようにしてもよい。
【００５７】
なお、本実施形態においては、格納庫１３０が自走式掃除機１の全てを収納するように構成されている場合について説明するが、格納庫１３０が自走式掃除機１の一部を収納するように構成されていてもよい。この場合、格納庫１３０に収容された自走式掃除機１の一部について、自走式掃除機１の本体表面に蓄積された静電気を除去し、付着したほこりを取り除くことができる。
また、格納庫１３０が自走式掃除機１の一部を収納するように構成される場合には、少なくとも後述する自走式掃除機１の充電台接続部９３が格納庫１３０に収納されるようにすれば、充電台接続部９３に付着したほこりを取り除くことができ、充電時に漏電等が発生することを防止することができる。
【００５８】
＜自走式掃除機の構成＞
図２に、この発明の自走式掃除機の一実施例の概略構成ブロック図を示す。
図２において、この発明の自走式掃除機（以下、単に、掃除機とも呼ぶ）は、主として、制御部１１、充電池１２、電池残量検出部１３、障害検知部１４、入力部１５、走行制御部２１、車輪２２、集塵部３４、吸気口３５、排気口３６、記憶部５１、充電台探索部９１、受信部９２、充電台接続部９３を備える。
【００５９】
また、掃除を行う部屋の所定の例えば壁面位置に充電台１００を設置する。充電台１００の設置場所は、商用電源のコンセント近辺、部屋の壁際、机の脇などで、電源電力の供給を受けられる場所であればよい。充電台１００と自走式掃除機１を接続することにより、自走式掃除機１は充電台１００と接触した状態で充電台１００からの電力の供給を受け、自走式掃除機１の充電池１２を充電する。また、自走式掃除機１は、充電台１００から離れた位置に自動走行しながら掃除機能を実行する。
【００６０】
この発明の自走式掃除機１は、設置された場所の床面を自走しながら、床面上の塵埃を吸い込み、塵埃を除去した空気を排気することにより床面上を掃除する。自走式掃除機１は、塵埃を吸込むものでなく、床面に接して回転する回転ブラシ等を設け、該回転ブラシで掻き込み清掃するもの、またそれを共用するのもある。
また、自走式掃除機１は、たとえば掃除が終了した場合、あるいは蓄積したゴミ量がゴミ満載状態に近づいた場合、充電池の電池容量が低下した場合などにおいて、自動的に充電台１００に帰還する。
【００６１】
また、自走式掃除機１は、充電台に備えられたイオン発生部１１３と同様のイオン発生部を備えてもよい。この場合は、設置された場所の床面を自走しながら、周囲の空気を吸い込み、生成されたイオンを含む空気を排気することにより除菌や消臭等を行う。
さらに、この発明の自走式掃除機１は、充電台１００へ帰還した場合、充電台１００から、イオンを含む空気を自走式掃除機１の方向へ放出されることにより、自走式掃除機１の筐体に生じた静電気が除電される。また、筐体表面に付着したほこり等が除去される。
【００６２】
図６に、この発明の自走式掃除機の一実施例の概略斜視図を示す。
図６において、本発明の自走式掃除機１は、円盤形の筐体２を備え、この筐体２の内部または外部に、回転ブラシ、サイドブラシ１０、障害検知部１４、集塵部３４、走行制御部２１によって駆動される複数の車輪２２、後輪、前輪、受信部９２、図２に示したその他の構成要素が設けられている。ここで、後輪および前輪は、筐体２の底部に設けられており、それら自体は駆動されることなく自走式掃除機１の移動方向に合わせて回転するように構成されている。
図６において、自走式掃除機1の障害検知部１４、受信部９２および前輪が配置されている部分を前方部、後輪が配置されている部分を後方部、図示しない制御部１１、充電池１２、集塵部３４などが配置されている部分を中間部と呼ぶ。
【００６３】
筐体２は、吸気口３５を有する平面視円形の底板と、筐体２に収容する集塵部３４を出し入れする際に開閉する蓋部３を中央部分に有している天板２ｂと、底板および天板２ｂの外周部に沿って設けられた平面視円環形の側板２ｃとを備えている。また、底板には前輪、一対の駆動輪２２および後輪の下部を筐体２内から外部へ突出させる複数の孔部が形成され、天板２ｂにおける前方部と中間部との境界付近には排気口３６が形成されている。なお、側板２ｃは、前後に二分割されており、側板前部はバンパーとして機能する。
【００６４】
また、自走式掃除機１は、一対の駆動輪２２が同一方向に正回転して前進し、同一方向に逆回転して後退し、互いに逆方向に回転することにより静止した状態で旋回する。例えば、自走式掃除機１は、掃除領域の周縁に到達した場合および進路上の障害物に衝突した場合、一対の駆動輪２２を互いに逆方向に回転して向きを変えたり、後退した後に回転して向きを変えたりする。これにより、自走式掃除機１は、設置場所全体あるいは所望範囲全体に障害物を避けながら自走する。
【００６５】
また、自走式掃除機１は、受信部９２によって、充電台１００の送信部１０４から送信される信号を検出して充電台１００のある方向を認識し、たとえば掃除が終了した場合、蓄積されたゴミが所定量以上となった場合、充電池１２の充電残量が少なくなった場合、あるいは設定された掃除タイマーの設定時間が経過した場合に、自動的に、充電台１００のある方向に進行して、充電台１００まで帰還する。
【００６６】
さらに、帰還しようとするときに、充電台１００からの信号が検出できない場合は、自走式掃除機１は、一旦静止して、その場で例えば３６０°回転し、充電台１００からの信号が検出されるか否かを確認し、充電台１００が存在する方向を検出するようにしてもよい。
信号が検出された場合、検出されたときの自走式掃除機１の受信部９２の前方方向に、充電台１００があると認識し、直線的に充電台１００の方向へ向かって走行する。ただし、障害物があれば、それを避けながら、充電台１００の方向へ移動する。その帰還の際に、先に説明したとおり、充電台１００との所定の距離に達すれば、自走式掃除機１の充電台接続部９３を、充電台１００の掃除機接続部１０３に接続するために半回転（１８０°回転）した後、走行（後進）し、充電のための接続が行われる。
【００６７】
以下、図２に示す各構成要素を説明する。
図２の制御部１１は、自走式掃除機１の各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各ハードウェアを有機的に動作させて、この発明の掃除機能、走行機能、充電台１００への帰還機能などを実行する。
【００６８】
充電池１２は、自走式掃除機１の各機能要素に対して電力を供給する部分であり、主として、掃除機能および走行制御等を行うための電力を供給する部分である。たとえば、リチウムイオン電池、ニッケル水素電池、Ｎｉ−Ｃｄ電池、などの充電池が用いられる。
充電池１２の充電は、自走式掃除機１と充電台１００とを接続した状態で行われる。
自走式掃除機１と充電台１００との接続は、互いの接続部（９３，１０３）である露出した充電端子どうしを接触させることにより行う。
【００６９】
電池残量検出部１３は、充電池の残りの容量（電池残量）を検出する部分であり、たとえば、フル充電状態に対して、現在の残容量をパーセントで表した数値を出力する。
たとえば、ここで検出された電池残量（％）に基づいて、充電台１００の方へ帰還するか、あるいはその場で静止して動作も終了するモードに移行するかを判断する。
【００７０】
障害検知部１４は、自走式掃除機１が走行中に、室内の机やいすなどの障害物に接触又は近づいたことを検知する部分であり、たとえば、マイクロスイッチ、超音波センサ、赤外線測距センサなどからなる接触センサ又は障害物センサが用いられ、筐体２の側板２Ｃの前方部に配置される。障害検知部１４は、１つでなく、複数個設けてもよい。
ＣＰＵは、障害検知部１４から出力された信号に基づいて、障害物の存在する位置を認識する。認識された障害物の位置情報に基づいて、その障害物を避けて次に走行すべき方向を決定する。
【００７１】
入力部１５は、ユーザが、自走式掃除機１の動作を指示入力する部分であり、自走式掃除機１の筐体表面側に、操作パネル、あるいは操作ボタンとして設けられる。
あるいは、入力部１５としては、自走式掃除機本体とは別に、リモコンユニットを設け、このリモコンユニットに設けられた操作ボタンを押すことにより、赤外線や無線電波信号を送出し、無線通信により動作の指示入力をしてもよい。
入力部１５としては、たとえば、電源スイッチ、起動スイッチ、充電要求スイッチ、その他のスイッチ（運転モードスイッチ，タイマスイッチ）などが設けられる。
【００７２】
車輪２２は、筐体２の下部に配置され、筐体２を移動させる部分である。
走行制御部２１は、自走式掃除機１の自動走行の制御をする部分であり、主として上記した車輪２２の回転を制御して、筐体２を自動的に移動させる部分である。
車輪２２を駆動させることにより、自走式掃除機１の前進、後退、回転、静止などの動作を行わせる。
【００７３】
集塵部３４は、室内のゴミやちりを収集する掃除機能を実行する部分であり、主として、図示しない送風制御部と、送風ファンと、集塵容器と、フィルタ部と集塵容器およびフィルタ部を覆うカバー部とを備える。
また、吸気口３５と連通する流入路と、排気口３６と連通する排出路とを有し、吸気口３５から吸い込まれた空気を流入路を介して集塵容器内に導き、集塵容器内の空気をフィルタ部を解して排気し、集塵後の空気を排出路を介して排気口３６から外部へ放出する。
【００７４】
吸気口３５および排気口３６は、それぞれ空気の吸気および排気を行う開口である。
排気口３６は、たとえば筐体２の上面の位置に設けられ、ゴミを収集した後の空気を外部へ放出する開口である。
吸気口３５は、塵埃を含む空気を筐体内部へ導入する開口であり、筐体２の底面の位置に設けられる。
【００７５】
記憶部５１は、自走式掃除機１の各種機能を実現するために必要な情報や、プログラムを記憶する部分であり、ＲＡＭやＲＯＭ等の半導体素子、ハードディスク、フラッシュメモリ等の記憶媒体が用いられる。
記憶部５１には、主として、電池情報５２、現在位置情報５３などが記憶される。
【００７６】
電池情報５２には、電池残量検出部１３によって検出された現在の電池残量Ｐ１（％）や、充電台への帰還を決定するために検出された電池残量Ｐ１と比較する判定値（残量閾値Ｐ０）などが含まれる。
【００７７】
現在位置情報５３は、自走式掃除機１が現在存在する位置を示す情報であり、室内の中のどこにいるかを示す相対的な座標情報である。
たとえば、充電台に接続された位置の座標値や、自走式掃除機の現在位置を示す座標値である。
さらに、この情報５３をもとに、実際に走行した履歴情報（走行マップ）を生成してもよい。走行マップは、次回以降の走行ルートを決定するのに利用できる。
【００７８】
この発明では、自走式掃除機１が自ら、充電台の方向に筐体を移動させ、充電台１００へ帰還する処理を実行するが、制御部１１が、充電台と接触した状態に帰還する必要があると判断した場合に、その帰還処理を実行する。
帰還する必要があると判断した場合、制御部１１は、走行制御部２１によって静止させた後、静止状態で１回転し、その１回転する間に、充電台探索部９１が、充電台１００が存在する方向を探索し、充電台の方向を検出した場合に、ゴミ収集処理を実行しながら、充電台１００が存在する方向に向かって移動する帰還処理を実行する。
【００７９】
充電台と接触した状態に帰還する必要があると判断する場合とは、たとえば、充電池１２の電池残量が少なくなってきた場合、ユーザにより充電要求スイッチが押し下げられた場合、ユーザがリモコンを利用して帰還指示を行った場合等がある。
特に、電池残量検出部１３によって検出された現在の電池残量Ｐ１が、電池情報５２として記憶されている残量閾値Ｐ０以下となった場合に、充電台１００へ帰還する必要があると判断し、帰還処理を実行する。
あるいは、自動走行中に、充電要求スイッチが押し下げられた場合に、充電台１００へ帰還する必要があると判断し、帰還処理を実行する。
【００８０】
図２において、充電台探索部９１と、受信部９２と、充電台接続部９３は、充電台１００の位置検出と、充電台１００からの電力を受けるための構成である。
充電台探索部９１は、充電台１００の位置を探索する部分であり、自走式掃除機１が充電台１００から離れた位置にある場合に、充電台１００の存在する位置がどの方向にあるかを検出する部分である。
充電台１００の探索には、走行制御部２１による自動走行処理と、受信部９２による信号検出処理を用いる。
受信部９２によって、充電台１００からの信号が検出された場合、充電台探索部９１は、受信部９２の前方方向に、充電台１００が存在すると認識する。
また、自走式掃除機１の現在位置において、充電台１００が検出されなかった場合は、上記したように、その現在位置に静止した状態で回転して、受信部９２により、充電台１００から送信された信号が検出されるか否かをチェックする。
【００８１】
受信部９２は、充電台１００の送信部１０４から送信された光、電波、超音波、その他無線による信号を受信（検出）する部分である。受信部９２の素子としては、送信される光、電波、超音波、その他無線による信号を受信できる一般的なものが利用できる。
充電台１００から送信される信号としては、たとえば、光である可視光、赤外線、または電波、超音波などが用いられる。この場合、方向性等が必要なため、送信部１０４からの送信される信号としては、指向性を持たせ、ある程度の幅を持ったもので、レーザー光、赤外線等が好適である。通常は赤外線等が一般的に利用されている。なお、可視光でも指向性を持たせ利用することもできる。
【００８２】
充電台接続部９３は、充電池１２を充電させるための電力を入力するための接続端子である。この充電台接続部９３は、自走式掃除機１の進行方向を前方とした場合、後方に設けられている。したがって、自走式掃除機１は充電台１００に帰還する場合、後進する形で走行する。
この充電台接続部９３と、充電台１００の掃除機接続部１０３とを電気的に接触させることにより、充電台１００の電力供給部１０５から与えられる電力を、充電池１２に供給し充電する。
充電台接続部９３は、掃除機接続部１０３と接触させるために、自走式掃除機１本体の側面に露出した状態で形成される。
なお、本実施形態においては、充電台接続部９３と、充電台１００の掃除機接続部１０３とを電気的に接触させることにより、充電台１００のから充電池１２に供給し充電する場合について説明したが、充電台１００の電力供給部１０５から充電池１２への給電方法は、これだけに限定されるものではない。例えば、公知の非接触電力伝送技術を用いて充電台１００の電力供給部１０５から充電池１２へ給電してもよい。
【００８３】
＜充電台の構成要素の配置説明＞
図３に、この発明の充電台において、各構成要素の配置と、空気の流れの一実施例の説明図を示す。
図３において、充電台１００は、自走式掃除機１を収納する格納庫１３０となる空間を備え、その空間の上方に、空気の流通経路となる空間を備えている。
図３では、流通経路の右端に、空気を取り入れる開口である吸気口１１８を設け、流通経路の途中に、送風ファン１１５を設け、充電台の上面の左端側に、イオンを含む空気を排出する開口となる送風口（第２送風口）１１６を設けている。送風口（第２送風口）１１６は、イオンを含む空気が、外部の上方空間に向かって放出されるような任意の位置に設ければよい。
【００８４】
また、イオンを含む空気の流通経路と格納庫１３０の空間とをつなぐ開口として、格納庫１３０の空間を形成する壁面のうち、１つの側面、例えば帰還時に充電を行うための掃除機接続部１０３が設けられる側面に、清掃口（第１送風口）１１７を設ける。この清掃口（第１送風口）１１７を介して、空気の流通経路から格納庫の空間の方へ、イオンを含む空気が放出される。
ただし、清掃口（第１送風口）１１７は、図３に示したような側面ではなく、格納庫の空間を形成する壁面の上面に設けてもよく、また、１つの側面及び上面の少なくともいずれか一方に設けてもよく、複数個設けてもよい。
【００８５】
送風口（第２送風口）１１６の近傍の流通経路に、イオンを含む空気の流れを切り換える切替板１１２を設ける。
送風切替部１１１によって切替板１１２の位置を制御することにより、イオンを含む空気の進行方向を、送風口（第２送風口）１１６の方向あるいは清掃口（第１送風口）１１７の方向のいずれかの方向となるように切り換える。
図３の場合は、イオンを含む空気が上面の送風口（第２送風口）１１６の方向へ進行するように、切替板１１２の位置を切り替えた場合を示している。
【００８６】
図３において、送風ファン１１５によって左側に送られる空気の流通経路に、イオン発生部１１３を配置している。この流通経路において、イオン発生部１１３で発生されたイオンが空気と混合され、イオンを含む空気としてさらに左側の流通経路へ送られ、切替板１１２により、その進行方向が変化させられる。
【００８７】
また、図３において、自走式掃除機１が格納庫１３０に戻ってきたときに、充電台接続部９３と接続できるような位置に掃除機接続部１０３を設ける。すなわち、掃除機接続部１０３の接続端子が、格納庫内に露出した状態で配置される。この掃除機接続部１０３には、商用電源１５０に接続された電力供給部１０５によって変換された直流電力が供給される。
【００８８】
＜充電台における空気清浄処理の概要＞
図４に、この発明の充電台において、空気清浄処理を行う場合の空気の流れの説明図を示す。
空気清浄処理を行う場合、送風口（第２送風口）１１６からイオンを含む空気を放出する。この場合、図４に示すように、流通経路を流れてきたイオンを含む空気が送風口（第２送風口）１１６の方向へ進行するように、切替板１１２の位置を設定する。
【００８９】
図４では、自走式掃除機１が、部屋を移動して掃除をしている場合であって、格納庫１３０の中に不在の場合を示している。ただし、自走式掃除機１が格納庫の中に存在している場合でも、後述する除電処理をしていないときは、図４に示したように空気清浄処理をすればよい。
【００９０】
＜充電台における除電処理の概要＞
充電台の帰還判断部１０２が、自走式掃除機１が格納庫１３０に帰還したと判断した場合に、イオン発生部１１３によってイオンを発生させ、送風ファン１１５によって吸気口１１８から導入された空気をイオンが発生された流通経路に送り、イオンを含む空気を清掃口（第１送風口）１１７から放出させることにより、除電処理が行われる。
図５に、この発明の充電台において、除電処理を行う場合の空気の流れの説明図を示す。
このとき、自走式掃除機１は、格納庫に帰還して、充電台接続部９３と掃除機接続部１０３とが接続され、シャッター１２２が閉じられた状態である。
したがって、これらの接続部（９３，１０３）を介して、充電池１２の充電が行われている。
【００９１】
また、除電処理を行う場合、イオンを含む空気が清掃口（第１送風口）１１７から放出されるように、切替板１１２を切り替える。
すなわち、図５に示すように、イオンを含む空気の流れが、送風口（第２送風口）１１６の方へ進行することなく、清掃口（第１送風口）１１７の方向へ進行するように、切替板１１２の位置を設定する。
清掃口（第１送風口）１１７から格納庫内に放出されたイオンを含む空気は、自走式掃除機１の筐体２の左側側面へ進行し、さらに筐体２の側面、上面及び底面に沿って、右側側面まで進行する。
この空気の流れによって、イオンが筐体２に接触することにより、筐体２に蓄積された静電気が除電される。
【００９２】
また、清掃口（第１送風口）１１７から放出されたイオンを含む空気が筐体２に当たることにより、筐体に付着していたほこりが吹き飛ばされる。すなわち、イオンを含む空気によって静電気の除電とともに、ほこりの除去をすることができる。
【００９３】
自走しながら部屋を掃除しているときに筐体表面に静電気が蓄積されていくので、上記のような除電処理は、充電台１００へ帰還した直後に行うことが好ましい。
また、除電処理を開始して、所定の時間が経過した後、イオンを含む空気の流れの方向が送風口（第２送風口）１１６へ向かう方向となるように、切替板１１２を切り替えて、図４に示すような状態に設定し、充電台周辺の空気清浄処理を行うようにしてもよい。
また、除電処理とほこりの除去処理を所定の時間だけ行った後、除去されたほこりが床面に落ちるので、床面に落ちたほこりを、吸引動作を行い自走式掃除機１の集塵部３４によって収集してもよい。
【００９４】
＜充電台の空気清浄処理および除電処理＞
図８に、この発明の充電台において実施される空気清浄処理および除電処理の一実施例のフローチャートを示す。
ステップＳ１において、充電台の制御部１０１が、自走式掃除機１が、現在充電台に接続した状態であるか否かをチェックする。すなわち、自走式掃除機１が充電台に帰還して格納庫１３０の中に入り、互いの接続部（９３，１０３）が接続された状態にあるかどうかを確認する。
この確認は、充電電流が流れている状態か否か、掃除機接続部１０３に接続されたスイッチが押された状態であるか否か、あるいは、充電台１００と自走式掃除機１との距離が、所定値以下であるか否かにより行うことができる。
【００９５】
接続状態にある場合は、ステップＳ２へ進み、そうでない場合は、ステップＳ８へ進む。
ステップＳ２において、接続された自走式掃除機１の充電池１２の充電が必要か否かをチェックする。充電が必要な場合は、ステップＳ３へ進み、そうでない場合は、ステップＳ４へ進む。
充電が必要か否かは、自走式掃除機の充電池の出力電圧が所定の電圧値以上となっているか否かを判断すればよい。
【００９６】
所定の電圧値に達していない場合は、まだ充電が必要であると考えられるので、ステップＳ３において、充電処理を実行する。
一方、所定の電圧値以上となっている場合は、十分な充電が行われたと判断し、ステップＳ４において、充電を停止する。
すなわち、自走式掃除機１が充電台に接続されている場合でも、充電池の充電が完了した場合には、充電を停止すればよい。
【００９７】
ステップＳ５において、入力部１５によって、利用者によって自走式掃除機１の起動入力がされたか否かを、チェックする。起動入力がない場合は、ステップＳ６へ進み、起動入力があった場合は、ステップＳ７へ進む。
【００９８】
ステップＳ６において、除電処理が必要か否かをチェックする。除電処理が必要か否かは、たとえば、掃除をした後に除電処理を実行したか否かを確認するか、あるいは帰還状態において除電処理をした回数のカウント値を記憶部１３１に記憶しておき、除電処理を１回も実行していない場合や除電回数が所定値以下の場合は、除電が必要と判断すればよい。また、帰還する毎に除電処理が必要な場合には、その都度実行するようにすればよい。
【００９９】
この除電処理については、帰還状態において除電をした時間を記憶しておき、一定時間以上除電をした場合は、除電は必要ないと判断し、一定時間以上除電をしていない場合は除電処理を継続し一定時間の除電を行う。
また、ステップＳ６の除電の必要の有無を判断するかわりに、除電を終了してから一定時間が経過した後、あるいは常時、ステップＳ１２へ進むようにしてもよい。
【０１００】
ステップＳ６において、除電が必要と判断した場合は、ステップＳ１２へ進み、そうでない場合はステップＳ１７へ進む。
除電が必要でない場合は、ステップＳ１７において、送風切替部１１１によって、送風口（第２送風口）１１６を開放し、かつ清掃口（第１送風口）１１７からの送風を閉鎖するように、切替板１１２を移動させる。
【０１０１】
さらに、ステップＳ１８において、イオン発生部１１３によってイオンを発生させ、送風ファン１１５を回転させて、開放された送風口（第２送風口）１１６から外部へイオンを放出させる。これにより、空気清浄処理が行われる。その後、ステップＳ１へ戻る。なお、この処理はあくまでも充電台１００側に図示していないイオン発生スイッチが設けられており、該スイッチが操作（ＯＮ）されている場合である。そのため、イオン発生スイッチが操作されていない（ＯＦＦ）場合には、除電処理後には、イオン発生を停止（イオン発生部１１３の動作停止）させ、さらに送風ファンの動作も停止させる。
【０１０２】
ステップＳ１において、自走式掃除機１が接続状態にない場合、たとえば、自走式掃除機１が格納庫に不在の場合、ステップＳ８において、シャッター１２２を開放しておく。ただし、自走式掃除機１が自走状態から充電台の近くに戻ってくることを検出した場合は、そのことを検出したときにシャッター１２２を開放するようにしてもよい。
すなわち、接続状態にない場合において、常にシャッター１２２を開けておく必要はない。
【０１０３】
ステップＳ９において、送風口（第２送風口）１１６を開放し、かつ清掃口（第１送風口）１１７を閉鎖するように、切替板１１２を切り替える。
ステップＳ１０において、イオン発生部１１３からイオンを発生させ、送風ファン１１５を回転させて、開放されている送風口（第２送風口）１１６から、イオンを含む空気を放出させる。これにより、空気清浄処理を実行させる。この処理は、上述したようにイオン発生スイッチが操作（ＯＮ）の場合である。
たとえば、自走式掃除機１が自走して掃除をしている場合において、充電台１００は、その周辺の空気清浄処理を実行する。つまり、充電台１００はイオン発生装置として利用され、結果として空気の浄化処理を行う。
【０１０４】
ステップＳ１１において、帰還判断部１０２が、充電台１００に自走式掃除機１が帰還したか否かチェックする。帰還したことを検出した場合はステップＳ１２へ進み、そうでない場合は、ステップＳ１０へ戻る。
帰還したか否かは、掃除機接続部１０３に接続されたスイッチを設け、自走式掃除機１の充電台接続部９３が掃除機接続部１０３に接触し、掃除機接続部１０３のスイッチが押された場合に、自走式掃除機１が、充電台に帰還したと判断すればよい。
【０１０５】
ステップＳ１２において、自走式掃除機１が帰還し、格納庫１３０の中に入ったので、充電台１００は除電処理を実行するために、シャッター１２２を閉鎖する。
ステップＳ１３において、送風口（第２送風口）１１６を閉鎖し、かつ清掃口（第１送風口）１１７を開放するように、切替板１１２を切り替える。
【０１０６】
ステップＳ１４において、先に説明したイオン発生スイッチの操作（ＯＮ、ＯＦＦ）に係わりなく、イオン発生部１１３を動作させイオンを生成させる。また、送風ファン１１５を回転（動作）させて、開放された清掃口（第１送風口）１１７から、イオンを含む空気を放出させる。これにより、イオンを含む空気が自走式掃除機１の筐体２に対して放出されるので、静電気の除電処理と、ほこりの除去とが行われる。
【０１０７】
ステップＳ１５において、予め記憶されている除電タイマー初期値１３３をセットして、除電タイマーを起動させる。すなわち、除電処理をする除電時間のカウントを開始する。
ステップＳ１６において、除電タイマーがタイムアウトしたか否かチェックする。タイムアウトした場合は、ステップＳ１７へ進み、そうでない場合は、そのままＳ１６のカウントを行い、除電処理を継続させる。このステップＳ１６において、除電タイマーが所定時間をカウントしていない場合には、ステップＳ１に戻るようにしてもよい。この場合、当然、自動式掃除機１が帰還しておりステップＳ１、Ｓ２、Ｓ３またはＳ４、Ｓ５を経て、ステップＳ６にて充電が必要かの判断において、充電タイマーによるタイムアップ等を判断することになる。
そこで、タイムアウトした場合は、いずれにしろ除電処理を終了するために、ステップＳ１７へ進み、上述した処理が実行される。その後、ステップＳ１へ戻り、自走式掃除機１はすでに帰還して接続状態にあるので、ステップＳ２へ進むことになる。
【０１０８】
ステップＳ５において、利用者により起動入力（リモコン操作等による起動入力）がされた場合、上記したようにステップＳ７へ進み、現在除電処理を実行中か否かチェックする。
ステップＳ７において、除電中である場合は、ステップＳ１９へ進み、そうでない場合はステップＳ２１へ進む。
ステップＳ１９において、充電処理を停止し、除電処理が実行されている場合には、送風口（第２送風口）１１６を開放し、清掃口（第１送風口）１１７を閉鎖するように、切替板１１２を切り替える。
【０１０９】
さらに、ステップＳ２０において、先に説明したようにイオン発生スイッチが操作（ＯＮ）されている場合、イオン発生部１１３からイオンを発生させ、送風ファン１１５を回転させて、イオンを含む空気を送風口（第２送風口）１１６から放出させる。これにより、除電処理を終了し、空気清浄処理を行うことができる。
ステップＳ２１において、利用者による起動入力があったことに対応して、自走式掃除機１が格納庫１３０から出庫できるようにするために、シャッター１２２を開放させる。
このとき、自走式掃除機１は、出庫する前に、格納庫１３０内を清掃するために、集塵部３４によるほこりの収集を開始する。
【０１１０】
これにより、自走式掃除機１は、格納庫から外部へ移動することができる状態となるので、格納庫１３０の外部への移動を開始する。ここで、自走式掃除機１は、ほこりの収集処理をしながら、移動を開始する。
【０１１１】
ステップＳ２３において、自走式掃除機１が、格納庫１３０から外部へ移動したか否かを確認する。
外部へ移動した場合は、ステップＳ１へ進み、そうでない場合は、ステップＳ２３をループする。格納庫の外部へ移動したか否かは、たとえば、格納庫出入り口にセンサ（赤外線センサなど）を備え、自走式掃除機の出入りを検知することにより、確認すればよい。
【０１１２】
以上の処理を実行することにより、自走式掃除機１が充電台１００へ戻ってきたときに少なくとも一回、所定時間（除電タイマーの設定時間）、除電処理が実行される。
また、除電処理が終了した後、あるいは自走式掃除機１が掃除中、充電台１００は必要に応じて空気清浄として機能する。さらに、自走式掃除機１が接続状態の場合は、必要に応じて充電池の充電処理が行われ、利用者により掃除要求等の起動入力があった場合は、シャッターを開放して、自走式掃除機が外部へ移動できるようにする。
以上のように、充電台１００に、イオン発生部を備えているので、自走式掃除機１が帰還したときに、静電気の除電処理ができ、除電処理をしていない場合は、空気清浄処理をすることができる。
【０１１３】
＜充電台の他の実施例＞
図９、図１０および図１１に、この発明の充電台の他の実施例の説明図を示す。
図９及び図１０は、同一構成の充電台を示したものであり、図９が空気清浄処理を行う場合の説明図であり、図１０が除電処理を行う場合の説明図である。
図９及び図１０において、充電台１００の左側側面に、空気を導入する吸気口１１８を設ける。吸気口１１８の近傍に送風ファン１１５と、送風ファン１１５を回転制御させる送風制御部１１４を配置し、送風ファン１１５を回転させることにより、吸気口１１８から内部へ空気を取り入れる。
【０１１４】
送風ファン１１５により導入された空気の流通経路に、イオン発生部１１３を配置し、イオン発生部１１３によって発生されたイオンを、導入された空気に混合させる。
イオンを含む空気が進行する流通経路の途中に切替板１１２を配置し、切替板１１２の近傍であって充電台１００の上面に、イオンを含む空気を排気する開口である送風口（第２送風口）１１６を設ける。
切替板１１２は、送風切替部１１１によって回転軸を中心として回転させることのできる長方形状の部材である。
【０１１５】
図９の場合、流通経路を右側に進行してきたイオンを含む空気は、切替板１１２に当たって、上方向へその進路を変更され、送風口１１６から外部へ放出される。また、イオンを含む空気は、清掃口（第１送風口）１１７へ向かう流通経路には流れない。
この送風口（第２送風口）１１６から放出されるイオンを含む空気によって、充電台近傍の空気の清浄処理（除菌、消臭等）が行われる。
【０１１６】
図９において、掃除を行わせるための起動入力がされた場合は、シャッター１２２を開放して、自走式掃除機１が右方向へ移動し、充電台１００から離れるように外部へ自走する。
【０１１７】
一方、図１０は、切替板１１２を回転させて、イオンを含む空気を、清掃口（第１送風口）１１７へ通じる流通経路に導き、清掃口（第１送風口）１１７からイオンを含む空気を放出させることにより、静電気の除電とほこりの除去を行う場合を示している。この場合、イオンを含む空気は、送風口（第２送風口）１１６からは放出されない。
【０１１８】
また、図１０の場合は、自走式掃除機１は、格納庫１３０の中に帰還しているので、シャッター１２２を閉めておく。さらに、充電台１００の掃除機接続部１０３と自走式掃除機１の充電台接続部９３とが接続されることにより、充電池の充電が行われる。
【０１１９】
図１１は、図９及び図１０と同様な位置に、送風口（第２送風口）１１６と清掃口（第１送風口）１１７とを設け、さらに、格納庫１３０の空間の上面に、３つの清掃口（第１送風口）１１７を形成した構成を示している。
図１１では、４つの清掃口（第１送風口）１１７を通じて、イオンを含む空気を格納庫内部に放出し、自走式掃除機１の筐体の表面に蓄積された静電気の除電を行う場合を示している。
【０１２０】
この場合は、格納庫の上面に形成された３つの清掃口（第１送風口）１１７からも、イオンを含む空気が筐体２に対して放出されるので、筐体２の上面や右側側面に蓄積された静電気とほこりをより効果的に除去することができる。
【０１２１】
なお、図１１では４つの清掃口（第１送風口）１１７を設けたものを図示したが、清掃口（第１送風口）１１７の数と、清掃口（第１送風口）１１７を設ける位置は、これに限るものではなく、格納庫の大きさ、自走式掃除機１の大きさや形状と収納位置、送風量の強さ、イオン発生部の能力などによって、適切な数や位置を決定すればよい。
【０１２２】
以上は充電台１００として格納庫１３０を設ける例を示した。しかし、充電台１００に格納庫を設ける必要はない。つまり、図１２の斜視図に示すように、充電台１００の上部に送風口（第２送風口）１１６を、掃除機接続部１０３側に清掃口（第１送風口）１１７を、両側面側に吸気口１１８を設けるものである。
【０１２３】
図１３は、送風路を切り替える切替板１１２を含む送風経路の一形態を示すを示す断面図である。吸気口１１８から吸気された空気は、送風ファン１１５を介してイオン発生部１１３を通り、切替板１１２が破線（２点破線）で示す位置に切り替えられることで上方に導かれ充電台１００の上面に設けられた送風口（第２送風口）１１６から送風（放出）される。また、切替板１１２が実線で示し位置に切り替えられると、空気は送風ファン１１３を介してイオン発生部１１３で生成されたイオンを取り込み、充電台１００の前面に設けられた清掃口（第１送風口）１１７から放出される。このとき、掃除機接続部１０３を挟むように上下に設けられた清掃口（第１送風口）１１７から放出される空気は、それぞれ自走式掃除機１の底板および上板の壁面に沿って流れる。これにより、空気に含まれるイオンにて除電、また付着した塵埃（ほこり）等が除去される。
一方、送風口（第２送風口）１１６より放出される空気は、充電台１００が、その背面を部屋の壁面に沿って載置されるため、部屋の壁面に沿って上昇するようにして放出され、部屋全体にイオンを拡散することができる。
【０１２４】
なお、図１３において、図４に示した、自走式掃除機１との間で送信を行うための送信部１０４、充電のための電力供給部１０５、送風ファン１１５を駆動制御するための送風制御部１１４等については、説明を簡単にするために、省略している。
なお、送風ファン１１５は、放出するイオン量を多くするには、風量を多くする。そのために、送風ファン１１５の回転速度を速くするように送風制御部１１４にて制御される。例えば、自走式掃除機１の除電処理を行う場合は、送風量を少なくするようにする。送風量を少なくしても、充電台１００の位置の自走式掃除機１近辺を十分に発生イオンで満たすことができる。そのため、掃除機１に付着するほこり等を部屋全体に拡散させるのを防止できる。
逆に、充電台１００がイオン発生機として機能する場合には、イオンを部屋全体に拡散させるためにも、送風量を多くするように制御すればよい。
【０１２５】
以上説明したように、この発明における充電台１００は、イオン発生部１１３を備え、生成されたイオンを自走式電子機器へと放出させる清掃口（第１送風口）１１７を設けることで、この発明の目的を達成できる。つまり自走式電子機器の除電を効率よく行える。
また、清掃口（第１送風口）１１７から送風される空気により、自走式掃除機表面に付着しているほこり等を除去できる。
この発明の充電台１００に、清掃口（第１送風口）１１７とは別に送風口（第２送風口）１１６を設けることができる。この送風口（第２送風口）１１６を設けることで、生成されたイオンを自走式電子機器とは別に、充電台１００が載置される部屋に放出させることができる。これにより、部屋内を発生イオンで拡散でき、充電台１００がイオン発生機として機能する目的を達成できる。イオンとして正負イオンを発生させるものであれば、空気浄化としても機能する。
【符号の説明】
【０１２６】
１  自走式掃除機
２  筐体
２ｂ  天板
２ｃ  側板
３  蓋部
１０  サイドブラシ
１１  制御部
１２  充電池
１３  電池残量検出部
１４  障害検知部
１５  入力部
２１  走行制御部
２２  車輪
３４  集塵部
３５  吸気口
３６  排気口
５１  記憶部
５２  電池情報
５３  現在位置情報
９１  充電台探索部
９２  受信部
９３  充電台接続部
１００  充電台
１０１  制御部
１０２  帰還判断部
１０３  掃除機接続部
１０４  送信部
１０５  電力供給部
１１１  送風切替部
１１２  切替板
１１３  イオン発生部
１１４  送風制御部
１１５  送風ファン
１１６  送風口（第２送風口）
１１７  清掃口（第１送風口）
１１８  吸気口
１２１  出入り口制御部
１２２  シャッター
１３０  格納庫
１３１  記憶部
１３２  切替情報
１３３  除電タイマー初期値
１５０  商用電源
【図１】
2013233222.tif 000003
【図２】
2013233222.tif 000004
【図３】
2013233222.tif 000005
【図４】
2013233222.tif 000006
【図５】
2013233222.tif 000007
【図６】
2013233222.tif 000008
【図７】
2013233222.tif 000009
【図８】
2013233222.tif 000010
【図９】
2013233222.tif 000011
【図１０】
2013233222.tif 000012
【図１１】
2013233222.tif 000013
【図１２】
2013233222.tif 000014
【図１３】
2013233222.tif 000015